(57)【要約】    【課題】  対物光学系全体の小型化を図りつつ、高ズーム比が容易で広角端から望遠端に至る全ズーム範囲で良好なる光学性能が得られる変倍ファインダーを得ること。    【解決手段】  対物光学系Ｇｏと、対物光学系Ｇｏにより形成した物体像を反転する像反転光学系Ｇｒと、像反転光学系Ｇｒを介して観察者へ光を導く接眼光学系Ｇｅとを備える変倍ファインダーにおいて、対物光学系Ｇｏを、物体側から観察側へ順に、正の屈折力を有する第１レンズ群Ｌ１、負の屈折力を有する第２レンズ群Ｌ２、正の屈折力を有する第３レンズ群Ｌ３、正の屈折力を有する第４レンズ群Ｌ４で構成する。更に、ズーミングに際して、第２レンズ群Ｌ２、第３レンズ群Ｌ３および第４レンズ群Ｌ４は、光軸上移動させ、対物光学系Ｇｏのズーム比Ｚ、第４レンズ群Ｌ４の変倍比Ｚ４を適切に設定した。【選択図】  図１
2007206164.tif 000002
【特許請求の範囲】
【請求項１】
対物光学系と、該対物光学系が形成する物体像を反転する像反転光学系と、該像反転光学系を介して観察者へ光を導く接眼光学系とを備える変倍ファインダーにおいて、
該対物光学系は、物体側から観察側へ順に、正の屈折力を有する第１レンズ群、負の屈折力を有する第２レンズ群、正の屈折力を有する第３レンズ群、正の屈折力を有する第４レンズ群から成り、ズーミングに際して、該第２レンズ群、第３レンズ群および第４レンズ群は、光軸上を移動し、該対物光学系のズーム比をＺ、該第４レンズ群の広角端と望遠端における結像倍率を各々β４ｗ，β４ｔとし、
Ｚ４＝β４ｔ／β４ｗ
とするとき、
【数１】
2007206164.tif 000017
なる条件を満足することを特徴とする変倍ファインダー。
【請求項２】
広角端から望遠端へのズーミングにおける前記第２レンズ群の移動量をｍ２、第４レンズ群の移動量をｍ４とし、観察側への移動を正方向とするとき、
【数２】
2007206164.tif 000018
なる条件を満足することを特徴とする請求項１記載の変倍ファインダー。
【請求項３】
広角端から望遠端へのズーミングにおける前記第２レンズ群の移動量をｍ２、該第２レンズ群の焦点距離をｆ２とするとき、
【数３】
2007206164.tif 000019
なる条件を満足することを特徴とする請求項１又は２に記載の変倍ファインダー。
【請求項４】
広角端から望遠端へのズーミングにおける前記第３レンズ群の移動量をｍ３、第３レンズ群の焦点距離をｆ３とし、観察側への移動を正方向とするとき、
【数４】
2007206164.tif 000020
なる条件を満足することを特徴とする請求項１から３のいずれか１項に記載の変倍ファインダー。
【請求項５】
前記第２レンズ群はプラスティック材料より成る１つのレンズから構成され、波長５８７．６ｎｍにおける該プラスティック材料の屈折率をｎｄ２、アッベ数をνｄ２とするとき、
１．５＜ｎｄ２
νｄ２＜４０
なる条件を満足することを特徴とする請求項１から４のいずれか１項に記載の変倍ファインダー。
【請求項６】
前記第１レンズ群から第４レンズ群は、いずれもプラスティック材料より成る１つのレンズから構成されることを特徴とする請求項１から４のいずれか１項に記載のファインダー。
【請求項７】
前記請求項１乃至６の何れか１項に記載の変倍ファンダーと、撮影レンズとを有することを特徴とする撮像装置。
【発明の詳細な説明】
【技術分野】
【０００１】
本発明は、変倍ファインダーに関し、例えばビデオカメラ、そしてデジタルスチルカメラ等の撮像装置に好適なものである。
【背景技術】
【０００２】
近年、デジタルスチルカメラに用いられる撮影系は、ズーム比が３倍を超えている。このため、デジタルカメラに装着されるファインダーには、撮影系のズーム比に対応した高ズーム比の変倍ファインダーであることが要求されている。
【０００３】
又、この変倍ファインダーには、小型のデジタルカメラに組み込むことから小型でしかも高い光学性能が容易に得られる構成のものが要求されている。
【０００４】
変倍ファインダーとして、対物光学系で形成した物体像（ファインダー像）を像反転光学系で正立像とし、この正立像を、接眼レンズを介して観察する実像式の変倍ファインダーが知られている（特許文献１、２）。
【０００５】
特許文献１，２における対物光学系は、正の屈折力を有する第１レンズ群、負の屈折力を有する第２レンズ群、正の屈折力を有する第３レンズ群、および正の屈折力を有する第４レンズ群から構成されている。
【０００６】
このうち特許文献１は、ズーミングに際して、第１レンズ群および第４レンズ群が不動で、第２レンズ群、第３レンズ群が移動することで変倍および変倍に伴う視度変化を補正している。
【０００７】
特許文献２では、ズーミングに際して、第１レンズ群が不動で、第２レンズ群、第３レンズ群、第４レンズ群が移動することで変倍および変倍に伴う視度変化を補正している。
【特許文献１】特開２００５−１６４９９３号公報
【特許文献２】特開２００３−２０７７２２号公報
【発明の開示】
【発明が解決しようとする課題】
【０００８】
特許文献１では、ズーミングに際して第１レンズ群と第４レンズ群が不動である。そして、広角端から望遠端へのズーミングに際して変倍機能を有する第２レンズ群は光軸上を観察側へ移動している。そして変倍時に伴う視度変化を補正するため、第３レンズ群が第２レンズ群とは独立に観察側へ移動する。引用文献１において、高ズーム比を得るためには、変倍機能を有する第２レンズ群の移動量を増大させる必要がある。この結果、望遠端での対物光学系のレンズ全長（第１レンズ面から最終レンズ面までの距離）が過大となる傾向があった。
【０００９】
一般に、変倍および変倍に伴う視度変化を補正するためには、少なくとも２つのレンズ群を移動させなければならない。しかしながら、特許文献１のように変倍機能を有するレンズ群が１つの場合、高ズーム比化を図ろうとすると、そのレンズ群の移動量が増大し、対物光学系のレンズ全長の短縮が困難となる。
【００１０】
特許文献２では、変倍機能を有するレンズ群を２つに分担させている。
【００１１】
具体的には、広角端から望遠端へのズーミングに際して、主変倍機能を有する第２レンズ群を観察側に、副変倍機能を有する第３レンズ群を物体側に移動することで変倍を行っている。第４レンズ群は物体側に移動することで変倍に伴う視度変化を補正している。
【００１２】
この場合、変倍時に第３レンズ群が物体側へ移動するため、望遠端での第３レンズ群と第４レンズ群の間隔が広がる。この結果、変倍に伴う視度変化を補正するために、第３レンズ群と第４レンズ群の間隔を縮めようと、第４レンズ群の移動量が増大してくる。この結果、望遠端において対物光学系のレンズ全長が長くなる傾向があった。
【００１３】
最近のデジタルスチルカメラに用いられる撮像系はズーム比の高いものが用いられるようになってきている。
【００１４】
このため、変倍ファインダーを構成する対物光学系のズームタイプ及び各レンズ群のレンズ構成を適切に設定しないと全系の小型化を図りつつ高いズーム比及び高い光学性能を得るのが困難になってくる。
【００１５】
本発明は、対物光学系全体の小型化を図りつつ、高ズーム比が容易で広角端から望遠端に至る全ズーム範囲で良好なる光学性能が得られる変倍ファインダーの提供を目的とする。
【課題を解決するための手段】
【００１６】
本発明の変倍ファインダーは、対物光学系と、該対物光学系により形成した物体像を反転する像反転光学系と、該像反転光学系を介して観察者へ光を導く接眼光学系とを備える変倍ファインダーにおいて、
該対物光学系は、物体側から観察側へ順に、正の屈折力を有する第１レンズ群、負の屈折力を有する第２レンズ群、正の屈折力を有する第３レンズ群、正の屈折力を有する第４レンズ群から成り、ズーミングに際して、該第２レンズ群、第３レンズ群および第４レンズ群は、光軸上移動し、該対物光学系のズーム比をＺ、該第４レンズ群の広角端と望遠端における結像倍率を各々β４ｗ，β４ｔとし、
Ｚ４＝β４ｔ／β４ｗ
とするとき、
【００１７】
【数１】
2007206164.tif 000003
【００１８】
なる条件を満足することを特徴としている。
【発明の効果】
【００１９】
本発明によれば、対物光学系全体の小型化を図りつつ、高ズーム比が容易で、広角端から望遠端に至る全ズーム範囲で良好なる光学性能が得られる変倍ファインダーが得られる。
【発明を実施するための最良の形態】
【００２０】
以下、図面を用いて本発明の変倍ファインダー及びそれを有する撮像装置の実施例について説明する。
【００２１】
図１は、実施例１の変倍ファインダーの光路を展開したときの広角端におけるレンズ断面図、図２、図３、図４は実施例１の変倍ファインダーの広角端、中間のズーム位置、望遠端における収差図である。
【００２２】
図５は、実施例２の変倍ファインダーの光路を展開したときの広角端におけるレンズ断面図、図６、図７、図８は実施例２の変倍ファインダーの広角端、中間のズーム位置、望遠端における収差図である。
【００２３】
図９は、実施例３の変倍ファインダーの光路を展開したときの広角端におけるレンズ断面図、図１０、図１１、図１２は実施例３の変倍ファインダーの広角端、中間のズーム位置、望遠端における収差図である。
【００２４】
図１３は、実施例４の変倍ファインダーの光路を展開したときの広角端におけるレンズ断面図、図１４、図１５、図１６は実施例４の変倍ファインダーの広角端、中間のズーム位置、望遠端における収差図である。
【００２５】
図１７は、実施例５の変倍ファインダーの光路を展開したときの広角端におけるレンズ断面図、図１８、図１９、図２０は実施例５の変倍ファインダーの広角端、中間のズーム位置、望遠端における収差図である。
【００２６】
図２１は、本発明の変倍ファインダーの光学系の要部概略図、図２２は本発明の変倍ファインダーを有するデジタルカメラ（撮像装置）の要部概略図である。
【００２７】
各実施例の変倍ファインダーは、撮像装置（光学機器）に用いられる光学系であり、レンズ断面図において、左方が物体側で、右方が観察側である。
【００２８】
レンズ断面図において、Ｇｏは、全体として正の屈折力（光学的パワー＝焦点距離の逆数）を有する対物光学系であり、物体像（ファインダー像）を所定面上に形成している。対物光学系Ｇｏは、第１〜第４レンズ群Ｌ１〜Ｌ４の４つのレンズ群を有する。
【００２９】
Ｇｒは、像反転光学系であり、対物光学系Ｇｏによって形成される物体像を正立像に反転している。像反転光学系Ｇｒは、３角プリズムＰ１とダハプリズムＰ２を有する。Ｓ１は、対物光学系Ｇｏによって形成される物体像の位置又はその近傍に設けられた視野絞りである、
Ｇｅは、接眼光学系であり、像反転光学系Ｇｒで正立像とした物体像からの光を観察者に導く。観察者は、アイポイントＥｐより物体像を観察する。
【００３０】
矢印は、広角端から望遠端へのズーミングにおける各レンズ群の移動方向を示している。
【００３１】
尚、以下の各実施例において広角端と望遠端のズーム位置とは変倍用のレンズ群（各実施例では第２レンズ群Ｌ２、第４レンズ群Ｌ４）が機構上光軸上を移動可能な範囲の両端に位置したときのズーム位置をいう。
【００３２】
収差図において、ｄはｄ線、ＦはＦ線、ＣはＣ線である。
【００３３】
ΔＭはメリディオナル像面、ΔＳはサジタル像面である。
【００３４】
倍率色収差はＦ線とＣ線について表している。
【００３５】
Ｍはファインダー倍率、球面収差におけるＨは入射瞳高である。
【００３６】
対物光学系Ｇｏは、正の屈折力を有する第１レンズ群Ｌ１、負の屈折力を有する第２レンズ群Ｌ２、正の屈折力を有する第３レンズ群Ｌ３、正の屈折力を有する第４レンズ群Ｌ４から構成されている。
【００３７】
対物光学系Ｇｏを構成する各レンズ群のズーミングにおける移動方向および移動量について説明する。
【００３８】
各実施例では、メカ構成を簡素化するため、ズーミングに際して、第１レンズ群Ｌ１を不動としている。第１レンズ群Ｌ１をズーミングの為に不動とした場合、対物光学系Ｇｏの第１面から像反転光学系Ｇｒの第１面までの距離（以下、「対物光学系全長」と称する）は一定となる。
【００３９】
一般に、変倍および変倍に伴う視度変化を補正するためには、少なくとも２つのレンズ群を移動させる必要がある。
【００４０】
しかしながら、全系の変倍機能を１つのレンズ群で負担すると、変倍機能を有するレンズ群の移動量が増大し、レンズ全長（第１面から像側までの距離）が長くなる。
【００４１】
そこで各実施例では、ズーミングに際して３つのレンズ群を移動させ、変倍機能を複数群で分担して、所定のズーム比を確保しつつ、レンズ全長が短くなるようにしている。このとき、広角端から望遠端までのズーミングに際して、最も変倍比（変倍作用）の大きいレンズ群を主変倍群（主変倍レンズ群）とし、次に変倍比の大きいレンズ群を副変倍群（副変倍レンズ群）と呼ぶ。
【００４２】
各実施例では、第２レンズ群Ｌ２を主変倍群、第４レンズ群Ｌ４を副変倍群とし、２つのレンズ群に変倍機能を分担している。ズーミングにおける具体的な移動方向は、主変倍機能を有する第２レンズ群Ｌ２は、広角端から望遠端への変倍時に単調に観察側へ移動する。
【００４３】
また、副変倍機能を有する第４レンズ群Ｌ４は、第２レンズ群Ｌ２との間隔を短くするよう、物体側へ移動する。
【００４４】
ここでレンズ群の移動量の符合は、観察側への移動量を正の符号、物体側への移動量を負の符号としている。
【００４５】
ただし、ズーミングに際して第２レンズ群Ｌ２の移動量が極端に大きすぎると、対物光学系全長の増大を招き、逆に第２レンズ群Ｌ２の移動量が極端に小さすぎると、所望のズーム比を得ることが困難となる。
【００４６】
これと同様に、ズーミングに際して第４レンズ群Ｌ４の移動量が極端に小さすぎると、第４レンズ群Ｌ４の変倍分担が過小となり、所望のズーム比を得ることが難しくなる。逆に第４レンズ群Ｌ４の移動量が極端に大きすぎると、対物光学系全長の増大を招く。
【００４７】
そこで、各実施例では、主変倍機能を有する第２レンズ群Ｌ２と、副変倍機能を有する第４レンズ群Ｌ４の移動方向および移動量を適切に設定することにより、レンズ系全体の小型化と高ズーム比化を実現している。
【００４８】
そして、変倍に伴う視度変化を補正するため、第３レンズ群Ｌ３は、第３レンズ群Ｌ３と第４レンズ群Ｌ４の間隔を縮めるよう、観察側へ移動している。
【００４９】
次に各レンズ群を構成するレンズの材料について説明する。
【００５０】
一般に、高ズーム比を実現するためには、変倍機能を有するレンズ群の屈折力を強めるか、その移動量を増やすのが有効である。
【００５１】
各実施例においては、レンズ全長小型化のために、主変倍機能を有する第２レンズ群Ｌ２の移動量を小さくしている。
【００５２】
しかしながら、第２レンズ群Ｌ２の屈折力を強めると、各レンズの曲率半径が小さくなるため、望遠端において球面収差がアンダーとなり、良好な光学性能を実現するのが難しくなる。
【００５３】
そこで、良好な光学性能とレンズ全長の小型化との両立を図るため、第２レンズ群Ｌ２を構成するレンズに高屈折率材料を使用している。
【００５４】
対物光学系Ｇｏを構成する各レンズ群は、１枚のプラスティック材より成るレンズで構成している。これにより、ファインダー光軸方向の一層の小型化を実現している。
【００５５】
次に像反転光学系Ｇｒの構成について説明する。
【００５６】
三角プリズムＰ１は、対物光学系Ｇｏからの光束を入射面Ｐ１ａより入射させ第１反射面Ｐ１ｂで物体側ヘ一旦反射させている。そして入射面Ｐ１ａを兼ねる全反射面Ｐ１ｃにより全反射させ光路を折り曲げ、射出面Ｐ１ｄより射出させて一次結像面Ｓ１ａへ導光している。射出面Ｐ１ｄには適切な正の屈折力を持たせており、これにより光束を集光光束または平行光束とするフィールドレンズとして作用している。
【００５７】
ファインダー視野範囲を示す視野枠Ｓ１は、一次結像面又はその近傍（三角プリズムＰ１の射出面Ｐ１ｄ近傍）に設けられている。視野枠Ｓ１は、遮光部材または液晶等の表示素子から成っている。
【００５８】
ダハプリズムＰ２は、三角プリズムＰ１の射出面Ｐ１ｄ近傍に形成された物体像を上下左右に反転し正立像に変換している。
【００５９】
即ち、ダハプリズムＰ２は三角プリズムＰ１からの光束を入射面Ｐ２ａより入射させ、面Ｐ２ｂで全反射させた後にダハ面Ｐ２ｃで全反射（又は反射）させている。そして入射面Ｐ２ａで全反射させて面Ｐ２ｂより射出させて接眼レンズ（接眼光学系）Ｇｅに導光している。
【００６０】
接眼レンズＧｅは正の屈折力を有している。接眼レンズＧｅは、対物光学系Ｇｏにより形成された物体像からの光を前記プリズムＰ１，Ｐ２を介して正立の物体像としてアイポイントＥｐに導光している。
【００６１】
今、第１レンズ群Ｌ１の広角端と望遠端における結像倍率をβ１ｗ、β１ｔとする。第２レンズ群Ｌ２の広角端と望遠端における結像倍率をβ２ｗ、β２ｔとする。第３レンズ群Ｌ３の広角端と望遠端における結像倍率をβ３ｗ、β３ｔとする。第４レンズ群Ｌ４の広角端と望遠端における結像倍率をβ４ｗ、β４ｔとする。
【００６２】
対物光学系Ｇｏのズーム比Ｚを、
【００６３】
【数２】
2007206164.tif 000004
【００６４】
とする。
【００６５】
第４レンズ群Ｌ４の変倍比Ｚ４を
Ｚ４＝β４ｔ／β４ｗ
とする。
【００６６】
広角端から望遠端へのズーミングにおける第２レンズ群Ｌ２、第３レンズ群Ｌ３、第４レンズ群Ｌ４の移動量を各々ｍ２、ｍ３、ｍ４とする。
（但し、観察側への移動量を正符号、その逆を負符号とする）
第２レンズ群Ｌ２と第３レンズ群Ｌ３の焦点距離を各々ｆ２、ｆ３とする。
【００６７】
第２レンズ群Ｌ２は、プラスティック材料より成る１つのレンズから構成され、波長５８７．６ｎｍにおける該プラスティック材料の屈折率をｎｄ２、アッベ数をνｄ２とする。このとき各実施例の実像式の変倍ファインダーでは以下の条件式のうち１以上を満足するようにしている。
【００６８】
【数３】
2007206164.tif 000005
【００６９】
条件式（１）は、対物光学系Ｇｏ全体の変倍比に対する第４レンズ群の変倍比を規定した式である。条件式（１）の下限を超えると、第４レンズ群Ｌ４の変倍比が過小となる。このため、所望の変倍比を得るためには、変倍分担しているもうひとつのレンズ群、すなわち第２レンズ群Ｌ２の変倍比を増大する必要がある。
【００７０】
第２レンズ群Ｌ２の変倍比を増大すると、第２レンズ群Ｌ２の屈折力が過度に強くなるため、広角端において樽型の歪曲収差が多く発生してくるので良くない。
【００７１】
また、条件式（１）の上限を超えると、第４レンズ群Ｌ４の変倍比が過大となる。第４レンズ群Ｌ４の変倍比が過大となると、第４レンズ群Ｌ４の移動量が増大し、対物光学系全長が増大するので良くない。
【００７２】
条件式（１）は、更に好ましくは、数値範囲を次の如く設定するのが良い。
【００７３】
【数４】
2007206164.tif 000006
【００７４】
条件式（２）は広角端から望遠端へのズーミングにおける、第２レンズ群Ｌ２の移動量に対する第４レンズ群Ｌ４の移動量の比を規定した式である。
【００７５】
対物光学系全長が一定なファインダー系において、条件式（２）の下限を超えると、第４レンズ群Ｌ４の移動量が過大となる。この結果、対物光学系全長が増大する。
【００７６】
また、条件式（２）の上限を超えると、第４レンズ群Ｌ４の移動量が過小となるため、第４レンズ群Ｌ４の変倍効果が小さくなる。
【００７７】
この結果、所望のズーム比を得るには、第４レンズ群Ｌ４の屈折力を過度に強くする必要があり、この結果ペッツバール和が正方向に過剰となり、像面湾曲が負の方向に大きくなる。
【００７８】
条件式（２）は、更に好ましくは、数値範囲を次の如く設定するのが良い。
【００７９】
【数５】
2007206164.tif 000007
【００８０】
条件式（３）は、第２レンズ群Ｌ２の移動量に対する第２レンズ群Ｌ２の焦点距離の比を規定するための式である。
【００８１】
条件式（３）の下限を超えると、第２レンズ群Ｌ２の焦点距離が過小となる、すなわち屈折力が過大となる。
【００８２】
この結果、ペッツバール和が負の方向に過剰となり、像面湾曲が正の方向に大きくなる。
【００８３】
又、広角端において樽型の歪曲収差が増大してくるので良くない。
【００８４】
また、条件式（３）の上限を超えると、第２レンズ群Ｌ２の焦点距離が過大となる、すなわち第２レンズ群Ｌ２の屈折力が小さすぎる。
【００８５】
その結果、所望のズーム比を得るためには、ズーミングに際して第２レンズ群Ｌ２の移動量を増大させる必要がある。この結果、対物光学系全長が一定という条件下ではレンズ全長の小型化が難しくなる。
【００８６】
条件式（３）は、更に好ましくは、数値範囲を次の如く設定するのが良い。
【００８７】
【数６】
2007206164.tif 000008
【００８８】
条件式（４）は、第３レンズ群Ｌ３の移動量に対する、第３レンズ群Ｌ３の焦点距離の比を規定するための式である。
【００８９】
条件式（４）の下限を超えると、第３レンズ群Ｌ３の焦点距離が短くなり、すなわち、第３レンズ群の屈折力が過大となる。
【００９０】
その結果、ペッツバール和が正の方向に過剰となり、像面湾曲が負の方向に大きくなる。
【００９１】
条件式（４）の上限を超えると、第３レンズ群Ｌ３の焦点距離が長くなり、すなわち、第３レンズ群Ｌ３の屈折力がゆるくなる。
【００９２】
この結果、高変倍化に伴う視度変化を十分に小さくするのが難しくなる。
【００９３】
条件式（４）は、更に好ましくは、数値範囲を次の如く設定するのが良い。
【００９４】
【数７】
2007206164.tif 000009
【００９５】
条件式（５）は第２レンズ群Ｌ２を構成するレンズの材料の屈折率を規定する式である。
【００９６】
条件式（５）の下限を超えて、屈折率が低くなると、第２レンズ群Ｌ２の屈折力が小さくなり、ペッツバール和が正の方向に過剰となるため、像面湾曲が正の方向に大きくなってくる。
【００９７】
条件式（６）は、第２レンズ群Ｌ２を構成するレンズの材料のアッベ数を規定する式である。
【００９８】
条件式（６）の上限を超えて、低分散となると、望遠端において軸上色収差の補正が不足となってくる。
以上のように各実施例によれば、対物光学系Ｇｏを、正の屈折力を有する第１レンズ群Ｌ１、負の屈折力を有する第２レンズ群Ｌ２、正の屈折力を有する第３レンズ群Ｌ３、正の屈折力を有する第４レンズ群Ｌ４から構成している。そして第２レンズ群Ｌ２と第３レンズ群Ｌ３および第４レンズ群Ｌ４のズーミングに伴う移動方向および移動量を適切に配置したことにより、薄型化と高ズーム比化の両立が容易な変倍ファインダーを得ている。
【００９９】
次に本発明の数値実施例を示す。各数値実施例において使用する記号の意味は次に示すとおりである。
【０１００】
数値実施例において、ｉは物体側からの面の順序を示す。ｆは対物光学系全系の焦点距離、Ｒｉは物体側より順に第ｉ番目のレンズ面の曲率半径、Ｄｉは物体側より順に第ｉ番目と第ｉ＋１番目の間隔、Ｎｉとνｉは各々物体側より順に第ｉ番目の光学材料の波長５８７．６ｎｍにおける屈折率とアッベ数である。
【０１０１】
Ｒ１〜Ｒ８は、対物光学系Ｇｏに相当する。Ｒ９、Ｒ１０は、３角プリズムＰ１に相当する。Ｒ１２〜Ｒ１５は、ダハプリズムＰ２に相当する。Ｒ１６、Ｒ１７は接眼光学系Ｇｅに相当する。
【０１０２】
非球面形状は光軸からの高さｈの位置での光軸方向の変位を面頂点を基準にｘとするとき、
【０１０３】
【数８】
2007206164.tif 000010
で表される。ただし、Ｒは曲率半径、ｋは円錐定数、Ｂ、Ｃ、Ｄ、Ｅは非球面係数である。また、［ｅ＋Ｘ］は［×１０＋ｘ］を意味し、［ｅ−Ｘ］は［×１０−ｘ］を意味している。
【０１０４】
前述の各条件式と数値実施例における諸数値の関係を表１に示す。
数値実施例１
f=3.45〜18.37
R 1 =    9.592      D 1 =  3.00      N 1 = 1.491710      ν 1 = 57.4
R 2 =  -45.000      D 2 =  可変
R 3 =   -3.721      D 3 =  1.00      N 2 = 1.583060      ν 2 = 30.2
R 4 =    3.200      D 4 =  可変
R 5 =    3.580      D 5 =  1.30      N 3 = 1.491710      ν 3 = 57.4
R 6 =   14.769      D 6 =  可変
R 7 =    5.750      D 7 =  1.70      N 4 = 1.491710      ν 4 = 57.4
R 8 =   -6.579      D 8 =  可変
R 9 =    ∞         D 9 =  8.22      N 5 = 1.570900      ν 5 = 33.8
R10 =  -24.500      D10 =  0.15
R11 =    ∞         D11 =  1.20
R12 =    ∞         D12 =  15.4      N 6 = 1.570900      ν 5 = 33.8
R13 =    ∞         D13 =  0.10
R14 =    ∞         D14 =  0.20
R15 =    ∞         D15 =  0.09
R16 =   16.781      D16 =  1.60      N 7 = 1.491710      ν 5 = 57.4
R17 =   -9.084      D17 = 16.00
R18 =    アイポイント
【０１０５】
【表１】
2007206164.tif 000011
【０１０６】
非球面係数
R1k=-5.56136e-02 B=-6.03641e-05 C=-3.23072e-06 D=1.22824e-07 
E=-3.77678e-09
R3 k=-3.76305e+00 B=4.38049e-03 C=-3.37332e-04 D=1.20027e-05 
E=0.00000e+00
R6 k=-6.67064e+01 B=6.82407e-03 C=-4.41289e-05 D=0.00000e+00 
E=0.00000e+00
R7 k=2.51176e+00 B=-4.00648e-03 C=-2.45045e-05 D=-9.44132e-07
E=0.00000e+00
R8 k=-1.11835e+01 B=-3.61111e-03 C=3.43326e-04 D=7.54838e-06 
E=0.00000e+00
R16 k=3.79650e+00 B=-4.47796e-04 C=5.04578e-06 D=-2.43568e-07 
E=0.00000e+00 
数値実施例２
f=3.53〜13.63
R 1 =   10.268      D 1 =  1.65      N 1 = 1.491710      ν 1 = 57.4
R 2 =  -16.000      D 2 =  可変
R 3 =   -3.298      D 3 =  0.70      N 2 = 1.583060      ν 2 = 30.2
R 4 =    4.000      D 4 =  可変
R 5 =    3.518      D 5 =  1.00      N 3 = 1.491710      ν 3 = 57.4
R 6 =   12.000      D 6 =  可変
R 7 =    4.941      D 7 =  1.50      N 4 = 1.491710      ν 4 = 57.4
R 8 =   -5.000      D 8 =  可変
R 9 =    ∞         D 9 = 8.22       N 5 = 1.570900      ν 5 = 33.8
R10 =  -24.500      D10 =  0.15
R11 =    ∞         D11 =  1.20
R12 =    ∞         D12 =  15.4      N 6 = 1.570900      ν 5 = 33.8
R13 =    ∞         D13 =  0.10
R14 =    ∞         D14 =  0.20
R15 =    ∞         D15 =  0.09
R16 =   16.781      D16 =  1.60      N 7 = 1.491710      ν 5 = 57.4
R17 =   -9.084      D17 = 16.00
R18 =    アイポイント
【０１０７】
【表２】
2007206164.tif 000012
【０１０８】
非球面係数
R1 k=3.10905e+00 B=-7.39715e-04 C=4.48377e-06 D=-1.30178e-06 
E=0.00000e+00
R3 k=-5.48686e+00 B=-2.82182e-03 C=1.24192e-03 D=-1.57051e-04 
E=0.00000e+00
R5 k=-1.27522e+00 B=-8.62803e-04 C=4.94194e-04 D=-1.32984e-04 
E=0.00000e+00
R6 k=-2.22743e+01 B=3.18528e-03 C=1.32285e-03 D=-3.74307e-04 
E=0.00000e+00
R7 k=-4.01323e+00 B=1.31453e-03 C=1.07770e-03 D=5.22649e-05 
E=0.00000e+00
R8 k=-2.03200e+00 B=5.65521e-04 C=8.83342e-04 D=1.38588e-04 
E=0.00000e+00
R16 k=3.79650e+00 B=-4.47796e-04 C=5.04578e-06 D=-2.43568e-07 
E=0.00000e+00
数値実施例３
f=3.01〜11.17
R 1 =   11.261      D 1 =  1.85      N 1 = 1.491710      ν 1 = 57.4
R 2 =  -12.800      D 2 =  可変
R 3 =   -3.300      D 3 =  0.70      N 2 = 1.583060      ν 2 = 30.2
R 4 =    3.483      D 4 =  可変
R 5 =    5.000      D 5 =  1.00      N 3 = 1.491710      ν 3 = 57.4
R 6 =   21.329      D 6 =  可変
R 7 =    4.450      D 7 =  1.70      N 4 = 1.491710      ν 4 = 57.4
R 8 =   -4.270      D 8 =  可変
R 9 =    ∞         D 9 =  8.22      N 5 = 1.570900      ν 5 = 33.8
R10 =  -24.500      D10 =  0.15
R11 =    ∞         D11 =  1.20
R12 =    ∞         D12 =  15.4      N 6 = 1.570900      ν 5 = 33.8
R13 =    ∞         D13 =  0.10
R14 =    ∞         D14 =  0.20
R15 =    ∞         D15 =  0.09
R16 =   16.781      D16 =  1.60      N 7 = 1.491710      ν 5 = 57.4
R17 =   -9.084      D17 = 16.00
R18 =   アイポイント
【０１０９】
【表３】
2007206164.tif 000013
【０１１０】
非球面係数
R1 k=-1.88465e+00 B=-2.78189e-04 C=-1.80000e-05 D=0.00000e+00
E=0.00000e+00
R3 k=-8.00000e+00 B=-4.25449e-04 C=-6.93614e-05 D=0.00000e+00 
E=0.00000e+00
R4 k=-2.18634e+00 B=1.09993e-02 C=-8.84787e-04 D=0.00000e+00 
E=0.00000e+00
R5 k=-6.21440e+00 B=-8.00000e-03 C=2.30000e-03 D=0.00000e+00 
E=0.00000e+00
R6 k=0.00000e+00 B=-7.03559e-03 C=7.15842e-04 D=0.00000e+00 
E=0.00000e+00
R7 k=8.37053e-01 B=-1.62036e-03 C=-1.96390e-04 D=0.00000e+00 
E=0.00000e+00
R8 k=-3.22142e+00 B=1.90427e-03 C=9.20064e-05 D=0.00000e+00 
E=0.00000e+00
R16 k=3.79650e+00 B=-4.47796e-04 C=5.04578e-06 D=-2.43568e-07 
E=0.00000e+00
数値実施例４
f=3.51〜18.37
R 1 =    9.443      D 1 =  3.00      N 1 = 1.491710      ν 1 = 57.4
R 2 =  -48.951      D 2 =  可変
R 3 =   -4.051      D 3 =  1.00      N 2 = 1.607000      ν 2 = 27.0
R 4 =    3.204      D 4 =  可変
R 5 =    3.585      D 5 =  1.30      N 3 = 1.491710      ν 3 = 57.4
R 6 =   14.867      D 6 =  可変
R 7 =    5.735      D 7 =  1.70      N 4 = 1.491710      ν 4 = 57.4
R 8 =   -6.599      D 8 =  可変
R 9 =    ∞         D 9 =  1.70      N 5 = 1.570900      ν 5 = 33.8
R10 =  -24.500      D10 =  0.15
R11 =    ∞         D11 =  1.20
R12 =    ∞         D12 =  15.4      N 6 = 1.570900      ν 5 = 33.8
R13 =    ∞         D13 =  0.10
R14 =    ∞         D14 =  0.20
R15 =    ∞         D15 =  0.09
R16 =   16.781      D16 =  1.60      N 7 = 1.491710      ν 5 = 57.4
R17 =   -9.084      D17 = 16.00
R18 =   アイポイント
【０１１１】
【表４】
2007206164.tif 000014
【０１１２】
非球面係数
R1k=-3.61262e-01 B=-1.73263e-05 C=-2.70700e-06 D=1.30530e-07 
E=-3.77678e-09
R3 k=-3.10612e+00 B=5.81209e-03 C=-5.44035e-04 D=2.58151e-05 
E=0.00000e+00
R6 k=-6.67064e+01 B=6.82407e-03 C=-4.41289e-05 D=0.00000e+00 
E=0.00000e+00
R7 k=2.46017e+00 B=-3.65848e-03 C=-6.03200e-05 D=-9.44132e-07
E=0.00000e+00
R8 k=-1.11835e+01 B=-3.61111e-03 C=3.43326e-04 D=7.54838e-06 
E=0.00000e+00
R16 k=3.79650e+00 B=-4.47796e-04 C=5.04578e-06 D=-2.43568e-07 
E=0.00000e+00
数値実施例５
f=3.45〜17.63
R 1 =    9.442      D 1 =  3.00      N 1 = 1.491710      ν 1 = 57.4
R 2 =  -48.981      D 2 =  可変
R 3 =   -4.436      D 3 =  1.00      N 2 = 1.632000      ν 2 = 23.0
R 4 =    3.204      D 4 =  可変
R 5 =    3.581      D 5 =  1.30      N 3 = 1.491710      ν 3 = 57.4
R 6 =   14.794      D 6 =  可変
R 7 =    5.737      D 7 =  1.70      N 4 = 1.491710      ν 4 = 57.4
R 8 =   -6.596      D 8 =  可変
R 9 =    ∞         D 9 =  8.22      N 5 = 1.570900      ν 5 = 33.8
R10 =  -24.500      D10 =  0.15
R11 =    ∞         D11 =  1.20
R12 =    ∞         D12 = 15.4      N 6 = 1.570900       ν 5 = 33.8
R13 =    ∞         D13 =  0.10
R14 =    ∞         D14 =  0.20
R15 =    ∞         D15 =  0.09
R16 =   16.781      D16 =  1.60      N 7 = 1.491710      ν 5 = 57.4
R17 =   -9.084      D17 = 16.00
R18 =   アイポイント
【０１１３】
【表５】
2007206164.tif 000015
【０１１４】
非球面係数
R1k=-3.92781e-01 B=-1.73125e-05 C=-2.77642e-06 D=1.36697e-07 
E=-3.77678e-09
R3 k=-3.01910e+00 B=5.81595e-03 C=-4.67941e-04 D=1.78431e-05
E=0.00000e+00
R6 k=-6.67064e+01 B=6.82407e-03 C=-4.41289e-05 D=0.00000e+00
E=0.00000e+00
R7 k=2.47816e+00 B=-3.65828e-03 C=-7.47374e-05 D=-9.44132e-07 
E=0.00000e+00
R8 k=-1.11835e+01 B=-3.61111e-03 C=3.43326e-04 D=7.54838e-06 
E=0.00000e+00
R16 k=3.79650e+00 B=-4.47796e-04 C=5.04578e-06 D=-2.43568e-07 
E=0.00000e+00
【０１１５】
【表６】
2007206164.tif 000016
【０１１６】
次に実施例１〜５を示した変倍ファインダーをデジタルスチルカメラ（撮像装置）に適用した実施例を、図２２を用いて説明する。
【０１１７】
図２２（Ａ）は正面図であり、図２２（Ｂ）は断面図である。
【０１１８】
図２２（Ａ），（Ｂ）において、１０はカメラ本体である。１１は撮影レンズである。１２はカメラ本体に内蔵され、撮影光学系１１によって形成された被写体像を受光するＣＣＤセンサやＣＭＯＳセンサ等の固体撮像素子（光電変換素子）である。固体撮像素子２２によって光電変換された被写体像に対応する情報は不図示のメモリに記録される。１３は被写体像を観察するための変倍ファインダーである。変倍ファインダー１３は、実施例１〜５に示したような、実像式の変倍ファインダーで構成される。
【０１１９】
このように本発明の変倍ファインダーをデジタルスチルカメラ等の撮像装置に適用することにより、小型の撮像装置が実現できる。
【図面の簡単な説明】
【０１２０】
【図１】本発明の数値実施例１の変倍ファインダーのレンズ断面図
【図２】本発明の数値実施例１の広角端における収差図
【図３】本発明の数値実施例１の中間のズーム位置における収差図
【図４】本発明の数値実施例１の望遠端における収差図
【図５】本発明の数値実施例２の変倍ファインダーのレンズ断面図
【図６】本発明の数値実施例２の広角端における収差図
【図７】本発明の数値実施例２の中間のズーム位置における収差図
【図８】本発明の数値実施例２の望遠端における収差図
【図９】本発明の数値実施例３の変倍ファインダーのレンズ断面図
【図１０】本発明の数値実施例３の広角端における収差図
【図１１】本発明の数値実施例３の中間のズーム位置における収差図
【図１２】本発明の数値実施例３の望遠端における収差図
【図１３】本発明の数値実施例４の変倍ファインダーのレンズ断面図
【図１４】本発明の数値実施例４の広角端における収差図
【図１５】本発明の数値実施例４の中間のズーム位置における収差図
【図１６】本発明の数値実施例４の望遠端における収差図
【図１７】本発明の数値実施例５の変倍ファインダーのレンズ断面図
【図１８】本発明の数値実施例５の広角端における収差図
【図１９】本発明の数値実施例５の中間のズーム位置における収差図
【図２０】本発明の数値実施例５の望遠端における収差図
【図２１】本発明の変倍ファインダーの光学系の要部断面図
【図２２】本発明の変倍ファインダーを有する撮像装置の要部概略図
【符号の説明】
【０１２１】
ΔＭ  メリディオナル像面
ΔＳ    サジタル像面
Ｇｏ  対物光学系
Ｇｒ  反転光学系
Ｇｅ  接眼光学系
Ｌ１  第１レンズ群
Ｌ２  第２レンズ群
Ｌ３  第３レンズ群
Ｌ４  第４レンズ群
Ｓ１  視野枠
Ｅｐ  アイポイント
ΔＳ  サジタル像面
ΔＭ  メリディオナル像面
ｄ    ｄ線
Ｃ    Ｃ線
Ｆ    Ｆ線
【図１】
2007206164.tif 000021
【図２】
2007206164.tif 000022
【図３】
2007206164.tif 000023
【図４】
2007206164.tif 000024
【図５】
2007206164.tif 000025
【図６】
2007206164.tif 000026
【図７】
2007206164.tif 000027
【図８】
2007206164.tif 000028
【図９】
2007206164.tif 000029
【図１０】
2007206164.tif 000030
【図１１】
2007206164.tif 000031
【図１２】
2007206164.tif 000032
【図１３】
2007206164.tif 000033
【図１４】
2007206164.tif 000034
【図１５】
2007206164.tif 000035
【図１６】
2007206164.tif 000036
【図１７】
2007206164.tif 000037
【図１８】
2007206164.tif 000038
【図１９】
2007206164.tif 000039
【図２０】
2007206164.tif 000040
【図２１】
2007206164.tif 000041
【図２２】
2007206164.tif 000042